(57)【要約】【課題】この発明は、簡易な構成で小型化及び薄型化を促進することができ、しかも、十分に実用に供し得るディスクローディング装置、ディスクローディング方法を提供することを目的としている。また、この発明は、上記のディスクローディング装置を使用した光ディスク装置を提供することを目的としている。【解決手段】トレイ２２がキャビネット１２からの引き出し完了位置に到達した状態と、光ヘッド３１が光ディスクに対して記録または再生を行なうための基準位置に到達した状態とを、同一の検出スイッチ５１をオン及びオフの状態に選択的に制御することにより検出する。【選択図】    図２１
2004355736.tif 000002
【特許請求の範囲】
【請求項１】
ディスクを載置可能なトレイを、外部から与えられる駆動力により、キャビネットから引き出した位置と、前記キャビネット内に収納した位置との間で移動させるトレイ駆動手段と、
前記キャビネット内に収納されたトレイに載置されたディスクを装着して回転駆動させるディスク駆動部を、外部から与えられる駆動力により、前記ディスクを装着する位置と、前記ディスクを装着不可能な位置との間で移動させるディスク駆動部駆動手段と、
このディスク駆動部駆動手段により前記ディスク駆動部とともに移動され、外部から与えられる駆動力により、前記ディスク駆動部に装着された前記ディスクの径方向にヘッドを移動させるヘッド駆動手段と、
前記トレイ駆動手段、前記ディスク駆動部駆動手段及び前記ヘッド駆動手段に係合し、前記トレイ、前記ディスク駆動部及び前記ヘッドを、この順序またはその逆の順序で移動させるように、各駆動手段に対して同一駆動源からの駆動力を選択的に与える制御手段と、
この制御手段の動作に連動する部材が接離することにより、スイッチを、前記トレイが前記キャビネットからの引き出し基準位置に到達した状態でオン及びオフの一方の状態に制御し、前記ヘッドが前記光ディスクに対して記録または再生を行なうための基準位置に到達した状態でオン及びオフの他方の状態に制御するスイッチ駆動手段とを具備したことを特徴とするディスクローディング装置。
【請求項２】
前記制御手段は、前記キャビネットから引き出された前記トレイを前記キャビネット内に収納させる場合、前記トレイ駆動手段に前記同一駆動源からの駆動力を与えて、前記トレイを前記キャビネット内に収納する方向に移動させ、前記トレイが前記キャビネット内に収納された状態で、前記ディスク駆動部駆動手段に前記同一駆動源からの駆動力を与えて、前記ディスク駆動部を前記ディスクに装着させる方向に移動させ、前記ディスクが前記ディスク駆動部に装着された状態で、前記ヘッド駆動手段に前記同一駆動源からの駆動力を与えて、前記ヘッドを前記ディスクの径方向に移動させるように制御することを特徴とする請求項１記載のディスクローディング装置。
【請求項３】
前記スイッチ駆動手段は、前記トレイ駆動手段に前記同一駆動源からの駆動力が与えられて、前記トレイが前記キャビネット内に収納される方向に移動されている状態で、前記トレイが前記キャビネットからの引き出し基準位置に到達したときに、前記スイッチをオン及びオフの一方の状態に制御することを特徴とする請求項２記載のディスクローディング装置。
【請求項４】
前記制御手段は、前記キャビネット内に収納された前記トレイを前記キャビネットから引き出す場合、前記ヘッド駆動手段に前記同一駆動源からの駆動力を与えて、前記ヘッドを前記ディスクの前記基準位置に向けて移動させ、前記ヘッドが前記ディスクの前記基準位置に到達した状態の後、前記ディスク駆動部駆動手段に前記同一駆動源からの駆動力を与えて、前記ディスク駆動部を前記ディスクから離脱させる方向に移動させ、前記ディスクが前記ディスク駆動部から離脱された状態で、前記トレイ駆動手段に前記同一駆動源からの駆動力を与えて、前記トレイを前記キャビネットから引き出す方向に移動させるように制御することを特徴とする請求項１記載のディスクローディング装置。
【請求項５】
前記スイッチ駆動手段は、前記ヘッド駆動手段に前記同一駆動源からの駆動力が与えられて、前記ヘッドが前記ディスクの前記基準位置に移動された状態で、前記スイッチをオン及びオフの他方の状態に制御することを特徴とする請求項４記載のディスクローディング装置。
【請求項６】
前記制御手段は、前記トレイ駆動手段、前記ディスク駆動部駆動手段及び前記ヘッド駆動手段に係合するスライドカムを備え、このスライドカムによって、前記トレイ駆動手段、前記ディスク駆動部駆動手段及び前記ヘッド駆動手段の駆動タイミングを制御することを特徴とする請求項１乃至５いずれかに記載のディスクローディング装置。
【請求項７】
ディスクを載置可能なトレイを、外部から与えられる駆動力により、キャビネットから引き出した位置と、前記キャビネット内に収納した位置との間で移動させるトレイ駆動手段と、
前記キャビネット内に収納されたトレイに載置されたディスクを装着して回転駆動させるディスク駆動部を、外部から与えられる駆動力により、前記ディスクを装着する位置と、前記ディスクを装着不可能な位置との間で移動させるディスク駆動部駆動手段と、
このディスク駆動部駆動手段により前記ディスク駆動部とともに移動され、外部から与えられる駆動力により、前記ディスク駆動部に装着された前記ディスクの径方向にヘッドを移動させるヘッド駆動手段とを備えたディスクローディング装置において、
前記トレイ駆動手段、前記ディスク駆動部駆動手段及び前記ヘッド駆動手段に対して、前記トレイ、前記ディスク駆動部及び前記ヘッドを、この順序またはその逆の順序で移動させるように、同一駆動源からの駆動力を選択的に与える工程と、
前記トレイが前記キャビネットからの引き出し基準位置に到達した状態と、前記ヘッドが前記光ディスクに対して記録または再生を行なうための基準位置に到達した状態とで、同一のスイッチをオン及びオフの状態に選択的に制御する工程とを具備したことを特徴とするディスクローディング方法。
【請求項８】
前記キャビネットから引き出された前記トレイを前記キャビネット内に収納させる場合、
前記トレイ駆動手段に前記同一駆動源からの駆動力を与えて、前記トレイを前記キャビネット内に収納する方向に移動させる工程と、
前記トレイが前記キャビネット内に収納された状態で、前記ディスク駆動部駆動手段に前記同一駆動源からの駆動力を与えて、前記ディスク駆動部を前記ディスクに装着させる方向に移動させる工程と、
前記ディスクが前記ディスク駆動部に装着された状態で、前記ヘッド駆動手段に前記同一駆動源からの駆動力を与えて、前記ヘッドを前記ディスクの径方向に移動させる工程とを備えることを特徴とする請求項７記載のディスクローディング方法。
【請求項９】
前記キャビネット内に収納された前記トレイを前記キャビネットから引き出す場合、
前記ヘッド駆動手段に前記同一駆動源からの駆動力を与えて、前記ヘッドを前記ディスクの前記基準位置に向けて移動させる工程と、
前記ヘッドが前記ディスクの前記基準位置に到達した状態の後、前記ディスク駆動部駆動手段に前記同一駆動源からの駆動力を与えて、前記ディスク駆動部を前記ディスクから離脱させる方向に移動させる工程と、
前記ディスクが前記ディスク駆動部から離脱された状態で、前記トレイ駆動手段に前記同一駆動源からの駆動力を与えて、前記トレイを前記キャビネットから引き出す方向に移動させる工程とを備えることを特徴とする請求項７記載のディスクローディング方法。
【請求項１０】
ディスクを載置可能なトレイを、外部から与えられる駆動力により、キャビネットから引き出した位置と、前記キャビネット内に収納した位置との間で移動させるトレイ駆動手段と、
前記キャビネット内に収納されたトレイに載置されたディスクを装着して回転駆動させるディスク駆動部を、外部から与えられる駆動力により、前記ディスクを装着する位置と、前記ディスクを装着不可能な位置との間で移動させるディスク駆動部駆動手段と、
このディスク駆動部駆動手段により前記ディスク駆動部とともに移動され、外部から与えられる駆動力により、前記ディスク駆動部に装着された前記ディスクの径方向にヘッドを移動させるヘッド駆動手段と、
前記トレイ駆動手段、前記ディスク駆動部駆動手段及び前記ヘッド駆動手段に係合し、前記トレイ、前記ディスク駆動部及び前記ヘッドを、この順序またはその逆の順序で移動させるように、各駆動手段に対して同一駆動源からの駆動力を選択的に与える制御手段と、
この制御手段の動作に連動する部材が接離することにより、スイッチを、前記トレイが前記キャビネットからの引き出し基準位置に到達した状態でオン及びオフの一方の状態に制御し、前記ヘッドが前記光ディスクに対して記録または再生を行なうための基準位置に到達した状態でオン及びオフの他方の状態に制御するスイッチ駆動手段とを具備し、
前記スイッチ駆動手段により、前記ヘッドが前記光ディスクに対して記録または再生を行なうための基準位置に到達して、前記スイッチがオン及びオフの他方の状態に制御された状態で、前記ディスクに対して記録または再生を行なうことを特徴とする光ディスク装置。
【発明の詳細な説明】
【０００１】
【発明の属する技術分野】
この発明は、光ディスクを搭載するトレイを、装置本体に対して出入させるディスクローディング装置、ディスクローディング方法に関する。また、この発明は、上記のディスクローディング装置を使用した光ディスク装置に関する。
【０００２】
【従来の技術】
周知のように、近年では、ＣＤ（Ｃｏｍｐａｃｔ  Ｄｉｓｋ）に対してデータの記録再生を行なうだけでなく、ＤＶＤ（Ｄｉｇｉｔａｌ  Ｖｅｒｓａｔｉｌｅ  Ｄｉｓｋ）等の光ディスクに対してもデータ記録再生を行なえる、いわゆるマルチディスクドライブ機器が広く普及している。
【０００３】
この種のマルチディスクドライブ機器は、例えばディスクトップ型パーソナルコンピュータの外付け機器として使用される以外に、ノート型パーソナルコンピュータの内蔵機器への適用も考慮されていることから、その外形寸法としても可能な限り小型化及び薄型化が要求される。
【０００４】
ところで、光ディスクに対してデータの記録再生を行なう、一般的な光ディスク装置にあっては、筐体からトレイを引き出し、そのトレイに光ディスクを搭載して筐体内に収容させると、光ディスクがターンテーブルとクランパとで回転可能に挟装される。
【０００５】
また、この動作に連動して、光ヘッドが光ディスクの最内周部分に移動されている。そして、このような状態で光ディスクを回転駆動させ、光ヘッドを光ディスクの径方向に移動させることにより、光ディスクに対してデータの記録再生を行なうことができる。
【０００６】
一方、光ディスクを取り出す際には、まず、光ディスクの回転を停止させ、ターンテーブルとクランパとによる光ディスクの挟装を解除させる。すると、光ディスクが筐体内のトレイに載置されるので、筐体からトレイを引き出すことにより、光ディスクの取り出しを行なうことができる。
【０００７】
ここで、上記のように、光ディスク装置に対して光ディスクの装着や取り出しを行なう機構は、ディスクローディング装置と称されている。そして、このディスクローディング装置に対しても、現在では、小型化及び薄型化の要求に対処するために、様々な構成が考えられている。
【０００８】
特許文献１には、トレイの排出完了点とディスククランプ完了点とを、１個の検出スイッチで検出するようにして、スイッチの個数を削減する構成が開示されている。しかしながら、この特許文献１では、スイッチとして２接点型スイッチが必要で、しかも、このスイッチの操作機構が大掛かりなものとなっている。
【０００９】
また、特許文献２には、トレイを収納位置から引出し位置に移動させ、さらに引出し位置から収納位置に移動させるという往復動作を、一連の動作として扱えるようにしてトレイの引出し位置の検知を不要とする構成や、トレイの引出し及びディスククランプを同一の駆動源で行なう構成が開示されている。
【００１０】
さらに、特許文献３には、ローディング機構とフィード機構に用いる駆動源の兼用化を図るとともに、従来使用していなかったスピンドルモータの逆方向回転を利用することによって、構成の簡易化、コストの低減、軽量化を図る構成が開示されている。
【００１１】
また、特許文献４には、トレイのＨＯＭＥ位置からＥＸＴＲＡ位置への前進時に、トレイのＥＸＴＲＡ位置からＨＯＭＥ位置への後退時よりも高レベルの電圧または電流を供給して、トレイの駆動力を大きくすることにより、消費電力の増大を少なくしつつ、トレイをスムーズに前進させる構成が開示されている。
【００１２】
しかしながら、これらの特許文献２乃至４に示された技術によっても、まだまだ、上述したようなディスクローディング装置に対する小型化及び薄型化への強い要求を、実用的な面から見て十分に満足させた構成になっているとは言えないのが現状である。
【００１３】
【特許文献１】
特開平１０−１１２１１８号公報
【００１４】
【特許文献２】
特開２０００−１４９３７９号公報
【００１５】
【特許文献３】
特開２００１−３２５７６４号公報
【００１６】
【特許文献４】
特開２０００−３１１４１１号公報
【００１７】
【発明が解決しようとする課題】
そこで、この発明は上記事情を考慮してなされたもので、簡易な構成で小型化及び薄型化を促進することができ、しかも、十分に実用に供し得るディスクローディング装置、ディスクローディング方法を提供することを目的とする。また、この発明は、上記のディスクローディング装置を使用した光ディスク装置を提供することを目的とする。
【００１８】
【課題を解決するための手段】
この発明に係るディスクローディング装置は、ディスクを載置可能なトレイを外部から与えられる駆動力によりキャビネットから引き出した位置とキャビネット内に収納した位置との間で移動させるトレイ駆動手段と；キャビネット内に収納されたトレイに載置されたディスクを装着して回転駆動させるディスク駆動部を、外部から与えられる駆動力によりディスクを装着する位置とディスクを装着不可能な位置との間で移動させるディスク駆動部駆動手段と；このディスク駆動部駆動手段によりディスク駆動部とともに移動され、外部から与えられる駆動力によりディスク駆動部に装着されたディスクの径方向にヘッドを移動させるヘッド駆動手段と；トレイ駆動手段、ディスク駆動部駆動手段及びヘッド駆動手段に係合し、トレイ、ディスク駆動部及びヘッドをこの順序またはその逆の順序で移動させるように、各駆動手段に対して同一駆動源からの駆動力を選択的に与える制御手段と；この制御手段の動作に連動する部材が接離することにより、スイッチを、トレイがキャビネットからの引き出し基準位置に到達した状態でオン及びオフの一方の状態に制御し、ヘッドが光ディスクに対して記録または再生を行なうための基準位置に到達した状態でオン及びオフの他方の状態に制御するスイッチ駆動手段とを備えるようにしたものである。
【００１９】
また、この発明に係るディスクローディング方法は、ディスクを載置可能なトレイを外部から与えられる駆動力によりキャビネットから引き出した位置とキャビネット内に収納した位置との間で移動させるトレイ駆動手段と；キャビネット内に収納されたトレイに載置されたディスクを装着して回転駆動させるディスク駆動部を、外部から与えられる駆動力によりディスクを装着する位置とディスクを装着不可能な位置との間で移動させるディスク駆動部駆動手段と；このディスク駆動部駆動手段によりディスク駆動部とともに移動され、外部から与えられる駆動力によりディスク駆動部に装着されたディスクの径方向にヘッドを移動させるヘッド駆動手段とを備えたディスクローディング装置を対象としている。そして、トレイ駆動手段、ディスク駆動部駆動手段及びヘッド駆動手段に対して、トレイ、ディスク駆動部及びヘッドを、この順序またはその逆の順序で移動させるように、同一駆動源からの駆動力を選択的に与える工程と、トレイがキャビネットからの引き出し基準位置に到達した状態と、ヘッドが光ディスクに対して記録または再生を行なうための基準位置に到達した状態とで、同一のスイッチをオン及びオフの状態に選択的に制御する工程とを備えるようにしたものである。
【００２０】
さらに、この発明に係る光ディスク装置は、ディスクを載置可能なトレイを外部から与えられる駆動力によりキャビネットから引き出した位置とキャビネット内に収納した位置との間で移動させるトレイ駆動手段と；キャビネット内に収納されたトレイに載置されたディスクを装着して回転駆動させるディスク駆動部を、外部から与えられる駆動力によりディスクを装着する位置とディスクを装着不可能な位置との間で移動させるディスク駆動部駆動手段と；このディスク駆動部駆動手段によりディスク駆動部とともに移動され、外部から与えられる駆動力によりディスク駆動部に装着されたディスクの径方向にヘッドを移動させるヘッド駆動手段と；トレイ駆動手段、ディスク駆動部駆動手段及びヘッド駆動手段に係合し、トレイ、ディスク駆動部及びヘッドをこの順序またはその逆の順序で移動させるように、各駆動手段に対して同一駆動源からの駆動力を選択的に与える制御手段と；この制御手段の動作に連動する部材が接離することにより、スイッチを、トレイがキャビネットからの引き出し基準位置に到達した状態でオン及びオフの一方の状態に制御し、ヘッドが光ディスクに対して記録または再生を行なうための基準位置に到達した状態でオン及びオフの他方の状態に制御するスイッチ駆動手段とを備え、スイッチ駆動手段により、ヘッドが光ディスクに対して記録または再生を行なうための基準位置に到達して、スイッチがオン及びオフの他方の状態に制御された状態で、ディスクに対して記録または再生を行なうようにしたものである。
【００２１】
上記のような構成及び方法によれば、トレイがキャビネットからの引き出し基準位置に到達した状態と、ヘッドが光ディスクに対して記録または再生を行なうための基準位置に到達した状態とで、同一のスイッチをオン及びオフの状態に選択的に制御するようにしたので、簡易な構成で小型化及び薄型化を促進することができ、しかも、十分に実用に供し得るものとなる。
【００２２】
【発明の実施の形態】
以下、この発明の実施の形態について、図面を参照して詳細に説明する。図１は、この実施の形態で説明する光ディスク装置１１の外観を示している。すなわち、この光ディスク装置１１は、略薄型の箱状に形成されたキャビネット１２を有している。
【００２３】
このキャビネット１２の前面パネル１３には、その中央部に、ディスクローディング部１４が設置されている。このディスクローディング部１４は、キャビネット１２の前面パネル１３から外方に向けて後述するトレイを出入させることにより、例えばＣＤやＤＶＤ等の光ディスクの装着や排出を行なわせている。
【００２４】
また、上記キャビネット１２の前面パネル１３には、その一端部に電源キー１５が設置されている。また、この前面パネル１３の他端部には、動作状態を表示する表示部１６と、光ディスク装置１１を所定の動作状態や停止状態に設定するための複数の操作キー１７とが設置されている。
【００２５】
図２は、上記ディスクローディング部１４を取り出して、上面から見た状態を示している。すなわち、ベース体１８は、種々の部品を直接的または間接的に支持する取付基体となっている。
【００２６】
このベース体１８には、天板１８ａと、この天板１８ａの対向する両端に形成された側板１８ｂ，１８ｂと、この側板１８ｂ，１８ｂから延出され天板１８ａに面対向する底板１８ｃ（図２では見えない）と、側板１８ｂ，１８ｂの前端部同士を連結するもので、天板１８ａとの間に後述するトレイ２２が遊挿される隙間を空けて形成された前板１８ｄ（図２では見えない）とが形成されている。
【００２７】
このうち、側板１８ｂ，１８ｂ間には、連結板１９が架設されている。この連結板１９の中央部には、弾性を有する取り付け片２０を介してクランプ部材２１が取り付けられている。このクランプ部材２１は、ベース体１８の天板１８ａに形成された開口を介して、ベース体１８の内方に向かうように、取り付け片２０により弾性付勢されている。
【００２８】
また、ベース体１８には、トレイ２２が支持されている。このトレイ２２は、そのディスク載置部２２ａを天板１８ａに面対向させた状態で、図中左右方向にスライド自在に支持されている。この場合、トレイ２２は、その両側面が、ベース体１８の底板１８ｃに設けられたボスで、スライド自在に支持されている。
【００２９】
図３は、図２に示したディスクローディング部１４を裏面側から見た状態を示している。すなわち、ベース体１８の底板１８ｃには、トレイ２２の裏面と面対向するようにシャーシ２３が支持されている。このシャーシ２３には、後述するターンテーブルや光ヘッド等が搭載されている。
【００３０】
また、このシャーシ２３は、その一端部に形成された突起２３ａ，２３ａが底板１８ｃに回動自在に支持されている。これにより、シャーシ２３は、その他端部が、突起２３ａ，２３ａを支点として煽り方向に移動されるように支持されている。
【００３１】
この場合、シャーシ２３の他端部中央には、ボス２３ｂが突設されている。このボス２３ｂは、ベース体１８の前板１８ｄに沿って図中上下方向にスライド自在に支持された、昇降機構を構成する後述するスライドカム４８と係合している。そして、ボス２３ｂがスライドカム４８に追従して制御されることにより、シャーシ２３が、トレイ２２に対してターンテーブルや光ヘッド等を昇降させるように制御される。
【００３２】
また、このシャーシ２３には、駆動モータ２４が支持されている。この駆動モータ２４には、その回転軸にウォーム歯車２５が嵌着されている。そして、このウォーム歯車２５が、シャーシ２３に回転自在に支持されたウォームホイール２６に歯合されることにより、駆動モータ２４の回転力がウォームホイール２６に伝達される。
【００３３】
このように、駆動モータ２４の回転力でウォームホイール２６が回転されることにより、後述するように、トレイ２２、シャーシ２３及び光ヘッド等の移動が行なわれる。
【００３４】
また、上記シャーシ２３には、トレイ２２の引出し基準位置及び光ヘッドの記録再生開始の基準位置等を検知するための後述する検出スイッチが設置されている。さらに、シャーシ２３には、この検出スイッチを操作する駆動部材２７が、軸２８によって回動自在に設置されている。この駆動部材２７は、コイルスプリング２９によって、図中反時計方向に回動付勢されている。
【００３５】
図４は、ベース体１８の内部にトレイ２２が収納された状態を、側面から見た状態を示している。この場合、シャーシ２３は、トレイ２２に対して上昇された位置に制御される。この位置では、ターンテーブルがトレイ２２から光ディスクを持ち上げて、クランプ部材２１との間に光ディスクを挟装しているとともに、光ヘッドが光ディスクの信号記録面に対向している。
【００３６】
図５は、ベース体１８からトレイ２２が引き出された状態を、側面から見た状態を示している。この場合、シャーシ２３は、トレイ２２に対して下降された位置に制御される。この位置では、ターンテーブルが光ディスクから離間し、光ディスクがトレイ２２に載置されている。
【００３７】
図６は、上記シャーシ２３を図２の方向から見た状態を示している。上記ターンテーブル３０は、シャーシ２３に固定された図示しないディスクモータの回転軸に嵌着されており、ディスクモータの回転力によって回転駆動される。
【００３８】
また、シャーシ２３には、上記光ヘッド３１が取り付けられている。この光ヘッド３１は、図示しないレーザダイオード及びフォトダイオード等を備えたヘッド部３２と、このヘッド部３２が取り付けられる印刷配線基板３３と、この印刷配線基板３３が固定されたホルダ３４とから構成される。
【００３９】
そして、この光ヘッド３１は、シャーシ２３に並列に固定された２本のガイドシャフト３５，３６によって、ターンテーブル３０に接近する方向と、ターンテーブル３０から離れる方向とに移動自在に支持されている。
【００４０】
この場合、上記ホルダ３４には、ガイドシャフト３５にスライド自在に係合される保持部材３７と、ガイドシャフト３６にスライド自在に係合される保持部材３８とがそれぞれ形成されている。そして、光ヘッド３１は、保持部材３７，３８によって、ガイドシャフト３５，３６にスライド自在に支持されている。
【００４１】
そして、ガイドシャフト３５は、その両端部が支持部材３９，４０によってシャーシ２３に支持されている。また、ガイドシャフト３６は、その両端部が支持部材４１，４２によってシャーシ２３に支持されている。
【００４２】
これら４個の支持部材３９，４０，４１，４２のうちの例えば３個（３９，４０，４２）については、ガイドシャフト３５，３６とシャーシ２３との間隔を調整可能な調整機構が設置されており、その調整により、光ヘッド３１のチルト調整が行なわれる。
【００４３】
また、上記ホルダ３４には、ガイドシャフト３６に係合する保持部材３８を囲むように形成されたラック部材４３が固定されている。そして、このラック部材４３には、光ヘッド３１と対向する側と反対側にラック４４が形成されている。このラック４４は、上記ウォームホイール２６と同軸上に形成されたピニオン歯車４５と歯合可能となっている。
【００４４】
これにより、駆動モータ２４が回転し、その回転力がラック４４に伝達されると、光ヘッド３１は、ガイドシャフト３５，３６に沿って、駆動モータ２４の回転方向に応じた方向に移送されることになる。
【００４５】
なお、上記ヘッド部３２が取り付けられた印刷配線基板３３には、コネクタ４６が設けられている、そして、このコネクタ４６にケーブル４７が接続されることにより、ヘッド部３２に対して信号のやりとりが実行される。
【００４６】
ここで、上記ラック部材４３には、前記スライドカム４８を駆動するカム駆動部４９が形成されている。このスライドカム４８は、前述したように、ベース体１８の前板１８ｄに沿って図中上下方向にスライド自在に支持されており、シャーシ２３のボス２３ｂが係合されている。
【００４７】
図７（ａ），（ｂ），（ｃ）は、スライドカム４８の詳細を示している。このスライドカム４８には、シャーシ２３のボス２３ｂが貫通するカム孔４８ａが形成されている。
【００４８】
また、このスライドカム４８には、上記ラック部材４３のカム駆動部４９によって駆動されるカム面４８ｂと、逆に、カム駆動部４９を駆動するカム面４８ｃとを有する溝４８ｄが形成されている。
【００４９】
さらに、このスライドカム４８には、ラック４８ｅと、トレイ２２がベース体１８から完全に引き出された状態において、前記駆動部材２７の後述する突部が挿入される溝４８ｆと、光ヘッド３１が光ディスクの最内周に位置した状態において、前記駆動部材２７の後述する突部が挿入される溝４８ｇとが形成されている。
【００５０】
また、このスライドカム４８には、トレイ２２に形成された後述するカム突部と係合するトレイ駆動部５０が形成されている。このトレイ駆動部５０は、所定間隔離間して形成された突起部５０ａとピン５０ｂとで構成されている。
【００５１】
図８及び図９は、上記光ヘッド３１とラック部材４３とを取り出して示している。図８は、図２の方向から見た状態を示し、図９は、その裏面側から見た状態を示している。
【００５２】
すなわち、ラック部材４３は、前記ホルダ３４に固定されたラック支持部４３ａと、前記ラック４４が形成されたラック片４３ｂとが重なり合った構成となされている。このラック片４３ｂは、ラック支持部４３ａとの重合面に沿って若干の移動が可能となるように、ラック支持部４３ａに支持されている。
【００５３】
そして、このラック片４３ｂは、ラック支持部４３ａとの間に係着されたコイルスプリング４３ｃによって、そのラック４４が前記ピニオン歯車４５に歯合される方向に付勢されており、これにより、ラック４４とピニオン歯車４５との間のバックラッシが抑制されている。
【００５４】
なお、ラック片４３ｂには、前記駆動部材２７を制御するためのカム部４３ｄが形成されている。
【００５５】
図１０は、上記ラック部材４３と、前述した検出スイッチを操作する駆動部材２７との関係を示している。図１０では、光ヘッド３１が光ディスクの最内周よりも外周側の位置にある場合を示している。
【００５６】
この場合、駆動部材２７は、そのピン２７ａにラック片４３ｂのカム部４３ｄが係合されておらず、また、突部２７ｂがスライドカム４８の溝４８ｇに挿入されていることから、最大に反時計方向に回動された位置となり、この位置でシャーシ２３に固定された検出スイッチ５１を押圧操作し、オン状態にしている。
【００５７】
このような状態で、光ヘッド３１が光ディスクの最内周位置に移動されると、図１１に示すように、ラック片４３ｂのカム部４３ｄが駆動部材２７のピン２７ａに係合して、駆動部材２７が時計方向に回動される。これにより、検出スイッチ５１は、押圧操作が解除されてオフ状態になり、ここに、光ヘッド３１が光ディスクの最内周位置に到達したことが検出される。
【００５８】
この場合、ラック部材４３のカム駆動部４９は、スライドカム４８の溝４８ｄ内に挿入されるが、この状態では、カム駆動部４９が、スライドカム４８のカム面４８ｂに当接せず、スライドカム４８をスライドさせるに至らないようになされている。
【００５９】
ここで、上記ピニオン歯車４５には、同軸上に径大な歯車５２が一体的に形成されている。このピニオン歯車４５と歯車５２とは、前記ウォームホイール２６と別体に形成され、ウォームホイール２６とはクラッチ機構を介して回転力伝達可能に連結されている。
【００６０】
また、歯車５２は、シャーシ２３に回転自在に支持された歯車５３と歯合されている。これらウォームホイール２６、ピニオン歯車４５、歯車５２，５３は、全てシャーシ２３に支持されており、シャーシ２３が昇降することにより一緒に昇降する。
【００６１】
一方、上記ベース体１８には、歯車５３に歯合可能な歯車５４が回転自在に支持されている。この歯車５４は、図１２（ａ），（ｂ）に示すように、軸方向に３段に一体形成された複合歯車の中間部に位置する歯車である。この歯車５４は、歯が全周に亘って形成されておらず、一部欠如されている。
【００６２】
この歯車５４の軸方向の一端部には大径の歯車５５が形成され、他端部には同径の歯車５６が形成されている。歯車５５は、前記トレイ２２を駆動するための後述する歯車と歯合する。歯車５４は、上記スライドカム４８のラック４８ｅと歯合可能であるとともに、シャーシ２３が上昇位置にある状態で、歯車５３と歯合不可能である。歯車５６は、シャーシ２３が下降位置にある状態で、歯車５３と歯合する。
【００６３】
ここで、先に図１０に示したように、光ヘッド３１が光ディスクの最内周よりも外周側の位置で、駆動モータ２４により移送されている状態においては、歯車５２，５３は回転されるが、歯車５４はその歯の欠如部分が歯車５３と対向して歯合されず、回転していない。
【００６４】
その後、図１１に示したように、光ヘッド３１が光ディスクの最内周位置に到達した状態で、さらに、駆動モータ２４が光ヘッド３１をターンテーブル３０に近付ける方向に回転されると、光ヘッド３１は移動されず、ラック片４３ｂのみがコイルスプリング４３ｃの付勢力に抗して移動される。
【００６５】
すると、ラック片４３ｂの先端のカム駆動部４９が、スライドカム４８のカム面４８ｂを押圧して、スライドカム４８を図１１で左方向にスライドさせる。このとき、図１３に示すように、スライドカム４８のラック４８ｅが歯車５４を回転させ、これにより、歯車５４が歯車５３に歯合する。
【００６６】
このため、駆動モータ２４の回転力により、スライドカム４８が図１３でさらに左方向に移動されることになる。なお、図１３の状態では、駆動部材２７は、そのピン２７ａがラック片４３ｂのカム部４３ｄによって押され、時計方向に回動されたままであるため、検出スイッチ５１がオフ状態に保持される。
【００６７】
その後、スライドカム４８が引き続き左方向にスライドされると、図１４に示すように、ラック片４３ｂのカム駆動部４９が、スライドカム４８のカム面４８ｃに駆動され、カム駆動部４９がスライドカム４８を厚み方向に横切って、その裏面側に係止される。
【００６８】
このとき、ラック片４３ｂのラック４４が、ピニオン歯車４５から離脱し、ラック片４３ｂは移動されなくなる。また、このとき、スライドカム４８のスライドにより、シャーシ２３は、そのボス２３ｂがスライドカム４８のカム孔４８ａによって、下降する方向の力を受けるため下降することになる。
【００６９】
そして、シャーシ２３が下降されるにしたがって、歯車５３と歯合する歯車が５４から５６に切り替わるが、歯車５４は歯車５６と同軸であるため、歯車５４の回転は継続される。
【００７０】
なお、図１４の状態では、駆動部材２７のピン２７ａはラック片４３ｂのカム部４３ｄから離脱されるが、駆動部材２７は、その突部２７ｂがスライドカム４８の壁面に係合して、時計方向に回動されたままとなるため、検出スイッチ５１がオフ状態に保持される。
【００７１】
その後、図１５に示すように、スライドカム４８は、シャーシ２３が下降されたことに続いてトレイ２２が引出し位置への移動を開始すると、トレイのカム突部の作用で左方向にスライドされることにより、そのラック４８ｅが歯車５６から完全に離脱し、駆動モータ２４によっては移動されなくなる。
【００７２】
そして、トレイ２２がその引出しを完了する位置に到達すると、トレイ２２のカム突部の作用により、スライドカム４８はさらに左方向に移動される。このとき、図１６に示すように、駆動部材２７は、その突部２７ｂがスライドカム４８の溝４８ｆに挿入され反時計方向に回動される。これにより、検出スイッチ５１がオン状態に操作され、ここに、トレイ２２が引出し位置に到達したことが検知される。
【００７３】
次に、トレイ２２の動作について説明する。図１７は、スライドカム４８とラック片４３ｂとが図１１に示した状態となっている場合を示している。トレイ２２の一方の側面には、ラック５７が形成され、ベース体１８には、このラック５７に歯合可能な歯車５８が回転自在に支持されている。この歯車５８は、上記歯車５５に常時歯合されている。また、この状態では、歯車５４が歯車５３と歯合しない位置にあるため、歯車５５，５８は回転されていない。
【００７４】
ここで、トレイ２２には、カム突部５９が形成されている。このカム突部５９は、トレイ２２の幅方向に延びる部位５９ａと、第１のカム部５９ｂと、トレイ２２のスライド方向に延びる部位５９ｃと、第２のカム部５９ｄとが連続的に形成されている。そして、このカム突部５９を、上記スライドカム４８の突起部５０ａとピン５０ｂとが挟むように設置されている。
【００７５】
図１１で説明したように、ラック片４３ｂのカム駆動部４９がスライドカム４８のカム面４８ｂを押圧することを発端として、スライドカム４８のスライドが開始されると、図１８に示すように、スライドカム４８の突起部５０ａが第１のカム部５９ｂを押圧し、トレイ２２がベース体１８から引き出される方向にスライドされる。
【００７６】
このことで、トレイ２２のラック５７が歯車５８に歯合する。このときには、歯車５３が歯車５６と歯合されるようになっており、駆動モータ２４の回転力によって、トレイ２２がベース体１８から引き出される。さらに駆動モータ２４を回転させると図１９の状態になり、このとき、スライドカム４８の突起部５０ａとピン５０ｂとは、カム突部５９の部位５９ｃを挟む位置にある。
【００７７】
このようにして、トレイ２２がベース体１８から最も引き出されると、図２０に示す状態となる。この状態は、図１６に示した状態と同じである。この図２０では、トレイ２２の移動によって、スライドカム４８のピン５０ｂが第２のカム部５９ｄに当接して、スライドカム４８がさらに左方向にスライドした状態を示している。
【００７８】
この第２のカム部５９ｄによるスライドカム４８のスライドによって、図１６に示したように、駆動部材２７の突部２７ｂがスライドカム４８の溝４８ｆに挿入されるようになり、検出スイッチ５１がオン状態になり、トレイ２２がベース体１８から完全に引き出されたことが検出される。
【００７９】
以上に述べた、光ヘッド３１の駆動、シャーシ２３の駆動及びトレイ２２の駆動は、駆動モータ２４の一方向の回転により連続的に実行される。また、図１６及び図２０に示す状態から、駆動モータ２４を逆方向に回転駆動させることにより、トレイ２２のベース体１８への収納、シャーシ２３の上昇、光ヘッド３１の光ディスク径方向への駆動が実行される。
【００８０】
また、トレイ２２が、その引き出された状態からベース体１８に収納される方向に駆動されると、第２のカム部５９ｄによってスライドカム４８の突起部５０ａが押され、スライドカム４８が図２０で右方向にスライドされる。このため、駆動部材２７の突部２７ｂがスライドカム４８の溝４８ｆから脱してスライドカム４８の壁面に係合するように時計方向に回動されるため、検出スイッチ５１がオフ状態に切り替えられる。
【００８１】
その後、トレイ２２が、図１８に示す位置までベース体１８に収納されると、スライドカム４８の突起部５０ａがトレイ２２の第１のカム部５９ｂに当接するので、トレイ２２のベース体１８への収納動作に連動して、スライドカム４８のラック４８ｅと歯車５４とが歯合し、スライドカム４８が駆動モータ２４の回転力によりさらに右方向にスライドされる。
【００８２】
これにより、トレイ２２は、第１のカム部５９ｂがスライドカム４８のピン５０ｂに押されることによって、さらにベース体１８に収納される方向に移動されので、図１７に示すように、トレイ２２のラック５７が歯車５８から離脱し、トレイ２２は停止される。
【００８３】
スライドカム４８の図中右方向のスライドによって、シャーシ２３が上昇していき、歯車５３と歯合する歯車が５６から５４に切り替えられる。また、図１４では、ピニオン歯車４５とラック４４とは歯合していないが、スライドカム４８の右方向のスライドによって、図１３に示すように、ラック片４３ｂのカム駆動部４９がスライドカム４８のカム面４８ｂに押されることにより、ラック片４３ｂが図中上方に移動し、ラック４４がピニオン歯車４５に歯合される。
【００８４】
さらに、駆動モータ２４の回転によりピニオン歯車４５が回転することによって、スライドカム４８は、図１３に示す状態から図１１に示す状態まで、カム駆動部４９に駆動されてスライドし、これにより、歯車５４が回転され、歯車５３と歯合しない位置となる。
【００８５】
図１４から図１３に示す状態までは、駆動部材２７の突部２７ｂは、スライドカム４８の壁面に当接したままであり、かつ、図１３に示す状態では、駆動部材２７のピン２７ａは、ラック片４３ｂのカム部４３ｄに当接した状態となり、検出スイッチ５１がオフ状態に保持される。
【００８６】
また、図１３から図１１への移行により、駆動部材２７の突部２７ｂは、スライドカム４８の溝４８ｇに対応した位置になるが、ピン２７ａがカム部４３ｄに当接しているため、検出スイッチ５１がオフ状態に保持される。
【００８７】
その後、光ヘッド３１が、図１１に示す位置から図１０に示す方向に移動されることにより、駆動部材２７のピン２７ａがラック片４３ｂのカム部４３ｄから離れるとともに、突部２７ｂがスライドカム４８の溝４８ｇに入り込むようになるため、駆動部材２７が反時計方向に回動して、検出スイッチ５１をオン状態にする。
【００８８】
図２１は、引き出されている状態のトレイ２２がベース体１８に収納され、光ヘッドが移動されるまでの一連の動作における、ディスクローディング部１４の状態遷移として、検出スイッチ５１、トレイ２２、シャーシ２３及び光ヘッド３１の動作タイミングを示している。
【００８９】
すなわち、トレイ２２が引き出されている状態では、検出スイッチ５１はオン状態となり、トレイ２２は完全に引き出された位置にあり、シャーシ２３は下降位置にあり、光ヘッド３１は最内周位置に制御されている。
【００９０】
この状態で、駆動モータ２４がトレイ２２をベース体１８に収納させる方向に回転駆動されると、トレイ２２がベース体１８への収納位置に向けて移動され、これに伴なって、スライドカム４８が図１６から図１５に示す位置に移動して、検出スイッチ５１がオン状態からオフ状態に切り替わる。
【００９１】
このようにして、トレイ２２がベース体１８に収納されると、シャーシ２３が上昇して、ターンテーブル３０がクランプ部材２１との間に光ディスクを挟装するディスククランプが行なわれる。
【００９２】
そして、このディスククランプが完了すると、光ヘッド３１が最内周位置から光ディスクの該外周方向に向けて移動され、光ヘッド３１が所定の位置に到達すると、検出スイッチ５１がオフ状態からオン状態に切り替わる。このときの検出スイッチ５１のオフ状態からオン状態への切り替えが、光ヘッド３１が光ディスクに対して記録再生を行なうための基準位置に到達したことに対応する。
【００９３】
また、光ヘッド３１が光ディスクに対向している状態で、駆動モータ２４がトレイ２２をベース体１８から引き出す方向に回転駆動されると、光ヘッド３１が光ディスクの最内周方向に向けて移動され、光ヘッド３１が所定の位置に到達すると、検出スイッチ５１がオン状態からオフ状態に切り替わる。
【００９４】
そして、光ヘッド３１が光ディスクの最内周位置に移動された後、シャーシ２３が下降して、ターンテーブル３０が光ディスクから離れ、光ディスクがトレイ２２のディスク載置部２２ａに載置される。
【００９５】
その後、トレイ２２がベース体１８から引き出され、所定の引き出し位置に到達したとき、検出スイッチ５１がオフ状態からオン状態に切り替わる。このときの検出スイッチ５１のオフ状態からオン状態への切り替えが、トレイ２２が光ディスクの装着または取り出しを行なうための規定された引き出し完了位置に到達したことに対応する。
【００９６】
図２２は、トレイ２２が引き出し位置から収納位置に移動される一連の動作をまとめたフローチャートを示している。まず、この動作は、トレイ２２が引き出されている状態で開始（ステップＳ１）される。
【００９７】
そして、ステップＳ２で、検出スイッチ５１がオン状態からオフ状態に切り替わるか、または、図示しないクローズキーが操作されると、ステップＳ３で、駆動モータ２４がトレイ２２をベース体１８に収納させる方向に回転駆動される。
【００９８】
その後、ステップＳ４で、検出スイッチ５１がオフ状態からオン状態に切り替わると、ステップＳ５で、駆動モータ２４に制動を与え、ステップＳ６で、光ヘッド３１が移動されるようになり、動作が終了（ステップＳ７）される。
【００９９】
図２３は、トレイ２２が収納位置から引き出し位置に移動される一連の動作をまとめたフローチャートを示している。まず、この動作は、トレイ２２がベース体１８内に収納されている状態で開始（ステップＳ８）される。
【０１００】
そして、ステップＳ９で、図示しないオープンキーが操作されると、ステップＳ１０で、駆動モータ２４がトレイ２２をベース体１８から引き出す方向に回転駆動される。
【０１０１】
その後、ステップＳ１１で、検出スイッチ５１がオフ状態からオン状態に切り替わると、ステップＳ１２で、駆動モータ２４に制動が与えられて、動作が終了（ステップＳ１３）される。
【０１０２】
上記した実施の形態によれば、特殊な仕様を要しない１個の検出スイッチ５１によって、トレイ２２が光ディスクの装着または取り出しを行なうための規定された引き出し完了位置に到達したことと、光ヘッド３１が光ディスクに対して記録再生を行なうための基準位置に到達したこととを検出するようにしたので、簡易な構成で小型化及び薄型化を促進することができ、しかも、十分に実用に供し得るものとなる。
【０１０３】
なお、この発明は上記した実施の形態そのままに限定されるものではなく、実施段階ではその要旨を逸脱しない範囲で構成要素を種々変形して具体化することができる。
【０１０４】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【０１０５】
【発明の効果】
以上詳述したようにこの発明によれば、簡易な構成で小型化及び薄型化を促進することができ、しかも、十分に実用に供し得るディスクローディング装置、ディスクローディング方法を提供することができる。また、この発明によれば、上記のディスクローディング装置を使用した光ディスク装置を提供することができる。
【図面の簡単な説明】
【図１】この発明の実施の形態を示すもので、光ディスク装置を説明するために示す外観図。
【図２】同光ディスク装置におけるディスクローディング部を上面側から見た状態を説明するために示す図。
【図３】同光ディスク装置における同ディスクローディング部を裏面側から見た状態を説明するために示す図。
【図４】同ディスクローディング部におけるベース体の内部にトレイが収納された状態を説明するために示す図。
【図５】同ディスクローディング部におけるベース体からトレイが引き出された状態を説明するために示す図。
【図６】同ディスクローディング部におけるシャーシを上面側から見た状態を説明するために示す図。
【図７】同ディスクローディング部におけるスライドカムの詳細を説明するために示す図。
【図８】同ディスクローディング部における光ヘッドとラック部材とを上面側から見た状態を説明するために示す図。
【図９】同ディスクローディング部における光ヘッドとラック部材とを裏面側から見た状態を説明するために示す図。
【図１０】同ディスクローディング部におけるラック部材と検出スイッチを操作する駆動部材との関係を説明するために示す図。
【図１１】同ディスクローディング部におけるラック部材と駆動部材とスライドカムとの関係を説明するために示す図。
【図１２】同ディスクローディング部における歯車の詳細を説明するために示す図。
【図１３】同ディスクローディング部における要部の動作を説明するために示す図。
【図１４】同ディスクローディング部における要部の動作を説明するために示す図。
【図１５】同ディスクローディング部における要部の動作を説明するために示す図。
【図１６】同ディスクローディング部における要部の動作を説明するために示す図。
【図１７】同ディスクローディング部におけるトレイの動作を説明するために示す図。
【図１８】同ディスクローディング部におけるトレイの動作を説明するために示す図。
【図１９】同ディスクローディング部におけるトレイの動作を説明するために示す図。
【図２０】同ディスクローディング部におけるトレイの動作を説明するために示す図。
【図２１】同ディスクローディング部における検出スイッチ、トレイ、シャーシ及び光ヘッドの動作タイミングを説明するために示す図。
【図２２】同ディスクローディング部におけるトレイの収納動作を説明するために示すフローチャート。
【図２３】同ディスクローディング部におけるトレイの引き出し動作を説明するために示すフローチャート。
【符号の説明】
１１…光ディスク装置、１２…キャビネット、１３…前面パネル、１４…ディスクローディング部、１５…電源キー、１６…表示部、１７…操作キー、１８…ベース体、１９…連結板、２０…取り付け片、２１…クランプ部材、２２トレイ、２３…シャーシ、２４…駆動モータ、２５…ウォーム歯車、２６…ウォームホイール、２７…駆動部材、２８…軸、２９…コイルスプリング、３０…ターンテーブル、３１…光ヘッド、３２…ヘッド部、３３…印刷配線基板、３４…ホルダ、３５，３６…ガイドシャフト、３７，３８…保持部材、３９〜４２…支持部材、４３…ラック部材、４４…ラック、４５…ピニオン歯車、４６…コネクタ、４７…ケーブル、４８…スライドカム、４９…カム駆動部、５０…トレイ駆動部、５１…検出スイッチ、５２〜５６…歯車、５７…ラック、５８…歯車、５９…カム突部。
【図１】
2004355736.tif 000003
【図２】
2004355736.tif 000004
【図３】
2004355736.tif 000005
【図４】
2004355736.tif 000006
【図５】
2004355736.tif 000007
【図６】
2004355736.tif 000008
【図７】
2004355736.tif 000009
【図８】
2004355736.tif 000010
【図９】
2004355736.tif 000011
【図１０】
2004355736.tif 000012
【図１１】
2004355736.tif 000013
【図１２】
2004355736.tif 000014
【図１３】
2004355736.tif 000015
【図１４】
2004355736.tif 000016
【図１５】
2004355736.tif 000017
【図１６】
2004355736.tif 000018
【図１７】
2004355736.tif 000019
【図１８】
2004355736.tif 000020
【図１９】
2004355736.tif 000021
【図２０】
2004355736.tif 000022
【図２１】
2004355736.tif 000023
【図２２】
2004355736.tif 000024
【図２３】
2004355736.tif 000025